(57)【要約】【課題】一部の車種の車両に対してはフロントガラス内面への設置を可能にしつつ、残りの他の車種の車両に対しても設置を可能とした車載用光送受信装置を提供する。【解決手段】光ビーコンユニット１は、車両の室内に取り付けられ、車両の外部に設置された光ビーコンとの間で光信号の送受信を行う。ＰＤ３１は、光ビーコンからの光信号を受信し、ＬＥＤ３２は、光ビーコンへ光信号を送信する。基板３０は、ＰＤ３１及びＬＥＤ３２を搭載し、筐体１０は、基板３０を収容する。筐体１０は、ＰＤ３１及びＬＥＤ３２が光ビーコン側を向くように車両のインストルメントパネル上面に接着可能なインストルメントパネル接着面５１と、ＰＤ３１及びＬＥＤ３２が光ビーコン側を向くように車両のフロントガラス内面に接着可能なフロントガラス接着面２１と、を備える。【選択図】図２
2018037102.tif 000002
【特許請求の範囲】
【請求項１】
車両の室内に取り付けられ、前記車両の外部に設置された光ビーコンとの間で光信号の送受信を行う車載用光送受信装置（１）であって、
前記光ビーコンからの光信号を受信する受光素子（３１）と、
前記光ビーコンへ光信号を送信する発光素子（３２）と、
前記受光素子及び前記発光素子を搭載する基板（３０）と、
前記基板を収容する筐体（１０）と、
を備え、
前記筐体は、前記受光素子及び前記発光素子が前記光ビーコン側を向くように前記車両のインストルメントパネル上面に接着可能な第１の接着面（５１）と、前記受光素子及び前記発光素子が前記光ビーコン側を向くように前記車両のフロントガラス内面に接着可能な第２の接着面（２１）と、を備える
ことを特徴とする車載用光送受信装置。
【請求項２】
請求項１に記載の車載用光送受信装置であって、
前記基板は、同一の搭載面（３３）に前記受光素子及び前記発光素子を搭載し、
前記搭載面は、前記第１の接着面が前記インストルメントパネル上面に接着された状態で、前記第１の接着面に対して平行な面よりも前記車両の進行方向側を向くように、前記第１の接着面に対して傾斜して設けられている
ことを特徴とする車載用光送受信装置。
【請求項３】
請求項１または請求項２に記載の車載用光送受信装置であって、
前記基板は、同一の搭載面に前記受光素子及び前記発光素子を搭載し、
前記搭載面は、前記第２の接着面が前記フロントガラス内面に接着された状態で、前記第２の接着面に対して平行な面よりも前記車両の進行方向側を向くように、前記第２の接着面に対して傾斜して設けられている
ことを特徴とする車載用光送受信装置。
【請求項４】
請求項１から請求項３のいずれか一項に記載の車載用光送受信装置であって、
一端が前記基板に接続され、他端が前記筐体に形成された開口（５２）を介して外部へ延びるケーブル（４０）を備える
ことを特徴とする車載用光送受信装置。
【請求項５】
請求項４に記載の車載用光送受信装置であって、
前記ケーブルは、前記基板における隅部のうち、前記開口から最も離れた前記隅部に接続されている
ことを特徴とする車載用光送受信装置。
【請求項６】
請求項４又は請求項５に記載の車載用光送受信装置であって、
前記開口は、前記基板における前記ケーブルが接続されている面とは反対の面側に設けられている
ことを特徴とする車載用光送受信装置。
【請求項７】
請求項１から請求項６のいずれか一項に記載の車載用光送受信装置であって、
前記第２の接着面は、近赤外線を透過する材料が用いられた両面接着テープ（６０）によって、前記フロントガラス内面に接着される
ことを特徴とする車載用光送受信装置。
【発明の詳細な説明】
【技術分野】
【０００１】
本発明は、車両の室内に取り付けられ、車両の外部に設置された光ビーコンとの間で光信号の送受信を行う車載用光送受信装置に関する。
【背景技術】
【０００２】
従来、センタで処理された道路交通情報をリアルタイムに送信し、ナビゲーション装置などの車載装置に表示するシステムであるＶＩＣＳ（登録商標）が知られている。ＶＩＣＳでは、車両の走行路に設置された光ビーコンにより、車両に搭載された車載用光送受信装置との間で近赤外域の光信号を用いた双方向通信が行われ、車両に対して道路交通情報が提供される。
【０００３】
車載用光送受信装置は、光信号を送信する発光素子及び光信号を受信する受光素子を備え、ケーブルによって通信制御装置に接続されている。このような車載用光送受信装置は、光ビーコンとの光信号の送受信に適した向きとなるように、車両のインストルメントパネル上面またはフロントガラス内面に設置されることが一般的である。なお、車載用光送受信装置ではないが、フロントガラス内面に設置される車載用装置としては、線状の導体が用いられた車載アンテナ装置が知られている（特許文献１参照）。
【先行技術文献】
【特許文献】
【０００４】
【特許文献１】特許第４６９３８１５号公報
【発明の概要】
【発明が解決しようとする課題】
【０００５】
ところで、車載用光送受信装置は、多くの車種において、光ビーコンとの光信号の送受信に適した向きとなるようにインストルメントパネル上面への設置が可能である。ただし、インストルメントパネル上面に車載用光送受信装置が設置されると、車載用光送受信装置がユーザ（例えば車両の乗員）の目に触れ、車両室内の外観が損なわれる。このため、近年では、車載用光送受信装置は、車両の乗員の目に触れにくい、フロントガラス内面（例えばルーフ側）に設置されるようになってきた。
【０００６】
しかしながら、フロントガラスの傾斜の度合いは車種によって大きく異なっている。このため、フロントガラス内面への設置が可能な車載用光送受信装置は、ある車種の車両のフロントガラスに対して光ビーコンとの光信号の送受信に適した向きに設置されたとしても、他の車種の車両のフロントガラスに対しても同様に光信号の送受信に適した向きに設置されるとは限らない。すなわち、フロントガラスの傾斜の度合いによっては、他の車種の車両において、この車載用光送受信装置が光ビーコンとの光信号の送受信に適した向きからずれて設置され、光ビーコンとの通信が困難になるという状況が生じ得る。したがって、フロントガラスの傾斜の度合いに応じた複数種類の車載用光送受信装置が必要となり、共通の車載用光送受信装置を多くの車種の車両に対応させることができない。
【０００７】
本発明は、こうした問題に鑑みてなされたものであり、一部の車種の車両に対してはフロントガラス内面への設置を可能にしつつ、残りの他の車種の車両に対しても設置を可能とした車載用光送受信装置を提供することを目的としている。
【課題を解決するための手段】
【０００８】
本発明の一側面は、車載用光送受信装置であって、車両の室内に取り付けられ、車両の外部に設置された光ビーコンとの間で光信号の送受信を行う。受光素子は、光ビーコンからの光信号を受信し、発光素子は、光ビーコンへ光信号を送信する。基板は、受光素子及び発光素子を搭載し、筐体は、基板を収容する。筐体は、受光素子及び発光素子が光ビーコン側を向くように車両のインストルメントパネル上面に接着可能な第１の接着面と、受光素子及び発光素子が光ビーコン側を向くように車両のフロントガラス内面に接着可能な第２の接着面と、を備える。
【０００９】
このような構成によれば、一部の車種の車両に対しては、第２の接着面を用いてフロントガラス内面へ車載用光送受信装置を設置することができ、残りの他の車種の車両に対しては、フロントガラス内面への設置ができなくても、第１の接着面を用いて車両のインストルメントパネル上面へ車載用光送受信装置を設置することができる。したがって、共通の車載用光送受信装置を、より多くの車種の車両に対応させることができる。
【００１０】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１１】
【図１】車載用光送受信装置の概略構成を示す斜視図である。
【図２】車載用光送受信装置の分解斜視図である。
【図３】図１のＩＩＩ−ＩＩＩ線での概略断面を表す図である。
【図４】爪部にケーブルが掛止される様子を説明する図である。
【図５】図４の部分拡大図である。
【図６】基板にケーブルが接続される様子を説明する図である。
【図７】ケーブルが基板の反搭載面に接続される様子を説明する図である。
【図８】フロントガラス接着面方向から見たときの、ＬＥＤからの光の照射範囲を示す図である。
【図９】ケーブル４０が延びる方向から見たときの、ＬＥＤからの光の照射範囲を示す図である。
【図１０】インストルメントパネル接着面を底面として設置したときの車載用光送受信装置の外観を示す斜視図である。
【図１１】インストルメントパネル接着面から見た車載用光送受信装置の外観を示す斜視図である。
【図１２】図１０のＸＩＩ−ＸＩＩ線での概略断面を表す図である。
【図１３】光ビーコンユニットがフロントガラスの内面及びインストルメントパネルの上面の両方に搭載可能であることを説明する図である。
【図１４】フロントガラス角度を説明する図である。
【図１５】（ａ）は車種毎のフロントガラス角度の分布、及び光ビーコンとの通信が可能となるように光ビーコンユニットを搭載できるフロントガラス角度の範囲（通信可能範囲）の一例を示す図であり、（ｂ）はフロントガラス基準角度を２０度としたときの通信可能範囲の一例を示す図である。
【発明を実施するための形態】
【００１２】
以下、本発明が適用された実施形態について、図面を用いて説明する。
［１．構成］
図１に示す光ビーコンユニット１は、車両の室内に取り付けられ、車両の走行路に設置された光ビーコンとの間で近赤外域の光信号を用いた双方向通信を行うためのものである。周知のように、光ビーコンは、車両の走行路の上方に設置され、走行路上に形成した通信ゾーンに存在する車両との間で近赤外域の光信号を用いた双方向通信を行うように構成されている。通信ゾーンは、車両の進行方向を基準として光ビーコンよりも手前の位置に形成される。
【００１３】
光ビーコンユニット１は、図１及び図２に示すように、フォトダイオード（ＰＤ）３１と、発光ダイオード（ＬＥＤ）３２と、基板３０と、ケーブル４０と、筐体１０とを備える。
【００１４】
ＰＤ３１は、光ビーコンからの光信号（ダウンリンクデータ）を受信する受光素子であり、ＬＥＤ３２は、光ビーコンへ光信号（アップリンクデータ）を送信する発光素子である。基板３０は、両面に配線パタンが形成されており（図示せず）、ＰＤ３１及びＬＥＤ３２を同一の搭載面３３に搭載する。また、基板３０は、ＰＤ３１及びＬＥＤ３２の他に抵抗及びコンデンサ等（図示せず）を搭載する。
【００１５】
ケーブル４０は、一端が基板３０の搭載面３３とは反対の反搭載面３４に形成された配線パタンに接続され、他端が、筐体１０に形成された開口５２を介して、光ビーコンユニット１の外部に設けられた通信制御装置（図示せず）に接続されている。なお、通信制御装置は、ＰＤ３１が受信した光信号（ダウンリンクデータ）をケーブル４０を介して入力して信号処理し、更には、送信用の信号（アップリンクデータ）を生成し、このアップリンクデータを、ケーブル４０を介してＬＥＤ３２へ出力し、ＬＥＤ３２から光ビーコンに向けて送信させる装置である。
【００１６】
筐体１０は、基板３０及びケーブル４０の一部を収容するものであり、近赤外線（近赤外域の光信号）を透過可能な素材によって形成された上部ケース２０と、近赤外線を透過させない素材によって上部ケース２０と噛み合うように形成された下部ケース５０とを備える。また、筐体１０は、ＰＤ３１及びＬＥＤ３２が光ビーコン側を向くように車両のフロントガラスの内面に接着可能なフロントガラス接着面２１を、上部ケース２０に備える。さらにまた、筐体１０は、ＰＤ３１及びＬＥＤ３２が光ビーコン側を向くように車両のインストルメントパネルの上面に接着可能なインストルメントパネル接着面５１を、下部ケース５０に備える。また、筐体は、開口５２から延びるケーブル４０を筐体１０の外側において掛止可能な爪部２２を、上部ケース２０に備える。なお、上部ケース２０と下部ケース５０との間に形成される隙間が開口５２として機能する。
【００１７】
光ビーコンユニット１は、図３に示すように、フロントガラス接着面２１に両面テープ６０の一方の面が接着され、両面テープ６０の他方の面が車両のフロントガラス７０の内面７１に接着されることにより、フロントガラス７０の内面７１に接着固定（設置）されるようになっている。
【００１８】
このとき、筐体１０は、フロントガラス接着面２１がフロントガラス７０の内面７１に接着された状態で、搭載面３３が、フロントガラス接着面２１に対して平行な面よりも車両の進行方向側を向くように、フロントガラス接着面２１に対して傾斜するように、基板３０を保持している。本実施形態では一例として、フロントガラス接着面２１に平行な面（図３にて実線Ｓ１で示す）と、基板３０の搭載面３３（図３にて一点鎖線で示す）とのなす角度（フロントガラス基準角度という）θｋが２０度となるように、筐体１０が基板３０を保持している。
【００１９】
またこのとき、図４及び図５に示すように、爪部２２は、開口５２から伸びるケーブル４０を、フロントガラス７０の内面７１に沿って車両のルーフ方向へ延びるように、掛止する。
【００２０】
このケーブル４０は、図６及び図７に示すように、略長方形の基板３０における４つの隅部３５〜３８のうちの開口５２から最も離れた隅部３７において、反搭載面３４に形成された配線パタンに接続されている。開口５２は、反搭載面３４側では無く搭載面３３側に設けられているため、ケーブル４０は、隅部３７の対角線上に位置する隅部３５に形成された切り欠き部３９を経由して、反搭載面３４側から搭載面３３側へ引き出されている。
【００２１】
なお、両面テープ６０は、近赤外線を透過させる素材でできており、本実施形態では図８及び図９に一例として示すように、フロントガラス接着面２１における両面テープ６０の接着位置は、フロントガラス接着面２１におけるＬＥＤ３２からの光の照射範囲Ｌに重なっている。
【００２２】
また、光ビーコンユニット１は、図１０及び図１１に示すように、インストルメントパネル接着面５１に両面テープ６１の一方の面が接着され、この両面テープ６１の他方の面が図１２に示すように車両のインストルメントパネル８０の上面８１に接着されることにより、インストルメントパネル８０の上面８１に接着固定（設置）されるようになっている。
【００２３】
このとき、筐体１０は、インストルメントパネル接着面５１がインストルメントパネル８０の上面８１に接着された状態で、搭載面３３が、インストルメントパネル接着面５１に対して平行な面よりも車両の進行方向側を向くように、フロントガラス接着面２１に対して傾斜するように、基板３０を保持している。本実施形態では一例として、インストルメントパネル接着面５１に平行な面（図１２にて実線Ｓ２で示す）と、基板３０の搭載面３３とのなす角度（インストルメントパネル基準角度という）が４５度となるように、筐体１０が基板３０を保持している。
【００２４】
またこのとき、ケーブル４０は、爪部２２に掛止されていない状態で、開口５２からインストルメントパネル８０の上面８１に沿って車両の進行方向へ延びている。
［２．作用］
このような構成により、図１３に示す光ビーコンユニット１（１ａ）は、インストルメントパネル接着面５１をインストルメントパネル８０の上面８１に接着することによって、インストルメントパネル８０の上面８１に設置される。また、図１３に示す光ビーコンユニット１（１ｂ）は、フロントガラス接着面２１をフロントガラス７０の内面７１に接着することによって、フロントガラス７０の内面７１に設置される。
【００２５】
前述のように、フロントガラス７０の傾斜の度合いは車種によって大きく異なっている。ここでは、フロントガラス７０の傾斜の度合いを、図１４に示すように、フロントガラス７０の水平方向に対する傾斜角度であるフロントガラス角度θｆで表すものとする。
【００２６】
図１５（ａ）は、一例として、市販されている車両について、フロントガラス角度θｆごとの車種の数の分布を示した図であり、一般的な傾向を示すものである。
ここで、角度θｓ〜θｅの範囲として示されている設置可能範囲は、フロントガラス基準角度θｋが０度であるような、本実施形態の光ビーコンユニット１とは異なる比較例の光ビーコンユニットがフロントガラス７０の内面７１に設置される場合に、この比較例の光ビーコンユニットが光ビーコンとの光信号の送受信に適した向きに設置可能となるフロントガラス角度θｆの範囲を示す。なお、光ビーコンとの光信号の送受信に適したとは、車両の進行方向を基準として光ビーコンよりも手前の位置に形成される光ビーコンの通信ゾーンに車両が侵入する際、所定レベル以上の信号強度で光ビーコンユニット１にてダウンリンクデータを受信可能で、且つ、所定レベル以上の信号強度で光ビーコンにてアップリンクデータを受信可能となること、をいう。
【００２７】
比較例の光ビーコンユニットの場合、設置可能範囲は、図１５（ａ）に示すように、フロントガラス角度θｆが大きい側に位置する。以下では、設置可能範囲に含まれるフロントガラス角度θｆのフロントガラス７０を備える車種を設置可能車種といい、設置可能範囲に含まれないフロントガラス角度θｆのフロントガラス７０を備える車種を設置不適車種というものとする。図１５（ａ）のようにフロントガラス角度θｆの低い側にピークが存在するような分布において設置可能車種の数を増加させるためには、図１５（ａ）に示されている設置可能範囲の中心を分布のピーク付近にシフトさせればよい。すなわち、フロントガラス角度θｆに対してオフセットを加えればよい。
【００２８】
そこで、本実施形態の光ビーコンユニット１では、フロントガラス７０の内面７１に設置された状態で、基板３０（搭載面３３）が、フロントガラス接着面２１に対して平行な面よりも車両の進行方向側を向くように、筐体１０に保持されている。すなわち、基板３０（搭載面３３）が、フロントガラス７０の内面７１に対して平行な面よりも車両の進行方向側を向くように、フロントガラス基準角度θｋだけ傾斜して（オフセットして）、筐体１０に保持されている。本実施形態では一例として、図１５（ａ）に示す分布において設置可能車種の数が最も多くなるように、フロントガラス基準角度θｋが２０度に設定されている。
【００２９】
なお参考のため、フロントガラス基準角度θｋが０度である比較例の光ビーコンユニットがフロントガラス７０の内面７１に設置されたと仮定した場合の、フロントガラス７０の内面７１に対する基板３０（搭載面３３）の向きを、図１４における点線で示す。また、光ビーコンユニット１（１ａ）が、フロントガラス７０の内面７１に設置された場合の、フロントガラス７０の内面７１に対する基板３０（搭載面３３）の向きを、図１４における実線で示す。
【００３０】
したがって、フロントガラス基準角度θｋが０度である比較例の光ビーコンユニットと比べて、フロントガラス基準角度θｋが２０度である本実施形態の光ビーコンユニット１は、より多くの車種に対してフロントガラス７０の内面７１への設置が可能となる。また、光ビーコンユニット１は、残りの車種に対してはインストルメントパネル８０の上面８１への設置が可能である。
【００３１】
なお、本実施形態では一例として、光ビーコンユニット１のフロントガラス７０の内面７１の設置は、次の（１）〜（４）の要件を満足させるように行われる。
（１）フロントガラス７０のルーフ側の中央近傍（例えば、ルームミラーの背部)には
、ドライブレコーダ、レインセンサ、ＤＣＭアンテナ等の様々な装置が設置され得るため、これらの装置から所定距離以上離して、光ビーコンユニット１が設置されること。
【００３２】
（２）フロントガラス７０の周縁には、黒セラと称される黒色セラミックペーストの焼成体が形成されている。黒セラ部は近赤外線を透過させないため、ＰＤ３１の受光範囲及びＬＥＤ３２の発光範囲が黒セラ部と重ならないように、光ビーコンユニット１が設置されること。
【００３３】
（３）フロントガラス７０の外面に付着した水アカ等の汚れによって近赤外線の透過が減衰されるため、フロントガラスのワイパー払拭範囲内にＰＤ３１の受光範囲及びＬＥＤ３２の発光範囲が含まれるように、光ビーコンユニット１が設置されること。
【００３４】
（４）フロントガラス７０の内面７１であって、上下方向において上部２０％以内の範囲に、光ビーコンユニット１が設置されること。
［３．効果］
以上詳述した本実施形態によれば、以下の効果が得られる。
【００３５】
［３Ａ］筐体１０は、ＰＤ３１及びＬＥＤ３２が光ビーコン側を向くように車両のインストルメントパネル８０の上面８１に接着可能なインストルメントパネル接着面５１と、ＰＤ３１及びＬＥＤ３２が光ビーコン側を向くように車両のフロントガラス７０の内面７１に接着可能なフロントガラス接着面２１と、を備える。これにより、一部の車種の車両に対してはフロントガラス７０の内面７１への設置を可能にしつつ、残りの他の車種の車両に対しては、インストルメントパネル８０の上面８１への設置が可能となる。
【００３６】
［３Ｂ］基板３０の搭載面３３は、インストルメントパネル接着面５１がインストルメントパネル８０の上面８１に接着された状態で、インストルメントパネル接着面５１に対して平行な面よりも車両の進行方向側を向くように、インストルメントパネル接着面５１に対して傾斜して設けられている。すなわち、本実施形態では、搭載面３３を進行方向側に傾斜させることによって、搭載面３３がインストルメントパネル８０の上面８１と平行であるときと比較して、光ビーコンユニット１による光信号の送受信方向を光ビーコンとの光信号の送受信に適した方向にすることができる。
【００３７】
［３Ｃ］基板３０の搭載面３３は、フロントガラス接着面２１がフロントガラス７０の内面７１に接着された状態で、フロントガラス接着面２１に対して平行な面よりも車両の進行方向側を向くように、フロントガラス接着面２１に対して傾斜して設けられている。すなわち、本実施形態では、搭載面３３を進行方向側に傾斜させることによって、搭載面３３がフロントガラス７０と平行であるときと比較して、搭載面３３を光ビーコン側に向かせることができる。これにより、前述の車種毎のフロントガラス角度の分布（図１５（ａ））を前提としたときに、より多くの車種で、光ビーコンユニット１をフロントガラス７０の内面７１に設置することができる。
【００３８】
［３Ｄ］ケーブル４０は、一端が基板３０に接続され、他端が筐体１０に形成された開口５２を介して外部へ延びている。そして、筐体１０には、当該筐体１０の外側において開口５２から延びるケーブル４０を掛止可能な爪部２２が形成されている。爪部２２は、当該爪部２２に掛止されていない状態で開口５２からインストルメントパネル接着面５１に沿った方向へ延びるケーブル４０を、インストルメントパネル接着面５１に沿った方向とは異なるフロントガラス接着面２１に沿った方向へ延びるように掛止する。これによると、爪部２２に掛止されない状態でケーブル４０をインストルメントパネル接着面５１に沿わせることで、ケーブル４０をインストルメントパネル８０の上面８１から浮かないようにすることができる。また、爪部２２に掛止された状態でケーブル４０をフロントガラス接着面２１に沿わせることで、ケーブル４０をフロントガラス７０の内面７１から浮かないようにすることができる。すなわち、ケーブル４０が、インストルメントパネル８０の上面８１またはフロントガラス７０の内面７１から浮かないようにすることで、例えばひっかけ等によってケーブル４０が損傷されることを生じにくくすることができる。
【００３９】
［３Ｅ］ケーブル４０は、基板３０における隅部３５〜３８のうち、開口５２から最も離れた隅部３７に接続されている。これによると、ケーブル４０が接続される隅部３７と開口５２とを可能な限り離して配置することによってケーブル４０を緩やかに曲げることができるため、ケーブル４０に作用する応力を低減することができる。
【００４０】
［３Ｆ］開口５２は、基板３０におけるケーブル４０が接続されている反搭載面３４とは反対の搭載面３３側に設けられている。これによると、基板３０の反搭載面３４側から搭載面３３側にケーブル４０を配索することによって配線距離を確保することができるため、ケーブル４０を緩やかに曲げることができ、ケーブル４０に作用する応力を低減することができる。
【００４１】
［３Ｇ］インストルメントパネル接着面５１は、近赤外線を透過する材料が用いられた両面テープ６０によって、フロントガラス７０内面７１に接着される。すなわち、フロントガラス接着面２１におけるＬＥＤ３２からの光の照射範囲Ｌに重なるような大きさの両面テープ６０を用いたとしても、光信号（近赤外線）が両面テープ６０を透過するため、光信号の減衰（阻害）が抑制される。これによると、フロントガラス接着面２１の広範囲に両面テープ６０を接着することができるため、光ビーコンユニット１をフロントガラス７０の内面７１に強固に接着固定することができる。
【００４２】
なお、本実施形態では、光ビーコンユニット１が車載用光送受信装置の一例に相当し、ＰＤ３１が受光素子の一例に相当し、ＬＥＤ３２が発光素子の一例に相当し、インストルメントパネル接着面５１が第１の接着面の一例に相当し、フロントガラス接着面２１が第２の接着面の一例に相当する。また、両面テープ６０が両面接着テープの一例に相当する。さらにまた、インストルメントパネル接着面５１に沿った車両の進行方向へ向かう方向が「第１の方向」の一例に相当し、フロントガラス接着面２１に沿った車両のルーフ側へ向かう方向が「第２の方向」の一例に相当する。
【００４３】
［４．他の実施形態］
以上、本発明の実施形態について説明したが、本発明は、上記実施形態に限定されることなく、種々の形態を採り得ることは言うまでもない。
【００４４】
［４Ａ］上記実施形態では、前述の車種毎のフロントガラス角度の分布（図１５（ａ））に対する一例として、フロントガラス基準角度θｋを２０度に設定し、インストルメントパネル基準角度を４５度に設定していたが、これに限らず、フロントガラス基準角度θｋ、及びインストルメントパネル基準角度を任意の角度に設定してよい。
【００４５】
［４Ｂ］上記実施形態では、爪部２２は、開口５２からインストルメントパネル接着面５１に沿った方向へ延びるように、ケーブル４０を当該爪部２２に掛止されていない状態で保持し、フロントガラス接着面２１に沿った方向へ延びるようにケーブル４０を当該爪部２２に掛止された状態で保持していたが、これに限らない。例えば、爪部２２は、開口５２からインストルメントパネル接着面５１に沿った方向へ延びるように、ケーブル４０を当該爪部２２に掛止された状態で保持し、フロントガラス接着面２１に沿った方向へ延びるように、ケーブル４０を当該爪部２２に掛止されていない状態で保持してもよい。
【００４６】
［４Ｃ］上記実施形態では、ケーブル４０は、基板３０における、開口５２から最も離れた隅部３７に接続されていたが、これに限らず、基板３０における他の隅部に接続されていてもよい。また、ケーブル４０は、基板３０における隅部以外に接続されていてもよい。
【００４７】
［４Ｄ］上記実施形態では、開口５２は、基板３０におけるケーブル４０が接続されている反搭載面３４とは反対の搭載面３３側に設けられていたが、これに限らず、反搭載面３４側に設けられていてもよい。
【００４８】
［４Ｅ］上記実施形態では、両面テープ６０は、近赤外線を透過する材料が用いられたものであったが、これに限らず、近赤外線を透過しない材料が用いられたものであってもよい。この場合、フロントガラス接着面２１におけるＬＥＤ３２からの光の照射範囲Ｌに重なりにくい部分に両面テープを用いることで、光信号の減衰（阻害）を抑制しつつ、光ビーコンユニット１をフロントガラス７０の内面７１に接着固定することができる。
【００４９】
［４Ｆ］上記実施形態では、光ビーコンユニット１の上部ケース２０側から見て左側にＰＤ３１が２個配置され、右側にＬＥＤ３２が２個配置されていたが、これに限らず、ＰＤ３１及びＬＥＤ３２は、任意の位置に任意の個数が設置されてよい。
【００５０】
［４Ｇ］上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【００５１】
１…光ビーコンユニット  １０…筐体  ２１…フロントガラス接着面  ２２…爪部  ３０…基板  ３３…搭載面  ４０…ケーブル  ５１…インストルメントパネル接着面  ５２…開口  ６０…両面テープ  ７０…フロントガラス  ８０…インストルメントパネル。
【図１】
2018037102.tif 000003
【図２】
2018037102.tif 000004
【図３】
2018037102.tif 000005
【図４】
2018037102.tif 000006
【図５】
2018037102.tif 000007
【図６】
2018037102.tif 000008
【図７】
2018037102.tif 000009
【図８】
2018037102.tif 000010
【図９】
2018037102.tif 000011
【図１０】
2018037102.tif 000012
【図１１】
2018037102.tif 000013
【図１２】
2018037102.tif 000014
【図１３】
2018037102.tif 000015
【図１４】
2018037102.tif 000016
【図１５】
2018037102.tif 000017